(57)【要約】【課題】集卵ベルトの集卵搬送面に付着した汚れを、特別の動力を必要とせずに自動的にかつ効率的に除去すること。【解決手段】  集卵ベルトＢのリターン側下面に接し、その進行方向と逆方向の回転で汚れ除去動作を行うローラ状ブラシ１と、このローラ状ブラシ１に集卵ベルトＢを上から当接させるべくその前後に配したベルト通過位置規制棒２ａ、２ｂと、回転伝達手段５を介してローラ状ブラシ１に回転力を伝達する駆動ローラ３と、一方のベルト通過位置規制棒２ａと共に、この駆動ローラ３に集卵ベルトＢを下から圧接させるべく作用するテンション調節棒４と、集卵ベルトＢが駆動ローラ３及びローラ状ブラシ１から外れないように幅方向に規制する案内棒８、８…と、以上の部材を組み込み、かつ相互に着脱自在に組み合わせる上フレーム７及び下フレーム６とで構成する。【選択図】  図１
0003109000.tif 000002
【実用新案登録請求の範囲】
【請求項１】
集卵ベルトのリターン側に配置してその集卵搬送面の汚れを除去する集卵ベルト用清掃装置であって、
集卵ベルトの集卵搬送面である下面に当接しつつベルト進行方向に逆らう回転方向で回転するローラ状ブラシと、
該ローラ状ブラシのベルト進行方向の前後側に位置して、該集卵ベルトの下面を該ローラ状ブラシに当接させつつその上を通過させるべく、該集卵ベルトの上面及び下面に当接すべくそれぞれ一つづつ配したベルト通過位置規制棒と、
該二つのベルト通過位置規制棒の内の前記集卵ベルトの下面に当接するそれに隣接し、該集卵ベルトの上面に圧接してその搬送動作に伴って回転する駆動ローラと、
該駆動ローラに前記集卵ベルトの下面に当接するベルト通過位置規制棒の反対側で隣接し、該集卵ベルトを該駆動ローラにその上面で強く接触させるべく規制するテンション調節棒と、
前記駆動ローラの回転軸と前記ローラ状ブラシの回転軸との間に配した回転伝達手段であって、前記集卵ベルトの搬送動作に伴う該駆動ローラの回転軸の回転を該ローラ状ブラシの回転軸に該ローラ状ブラシが該集卵ベルトの進行方向に逆らう回転方向で回転するように伝達されるべく構成した回転伝達手段と、
前記集卵ベルトの上面に当接するベルト通過位置規制棒を固設し、かつ前記駆動ローラを後記下フレームと共に支持する上フレームであって、該下フレームと着脱自在に組み合わせ得るように構成した上フレームと、
前記集卵ベルトの下面に当接するベルト通過位置規制棒及び前記テンション調節棒を固設し、前記ローラ状ブラシを回転自在に支持し、かつ前記駆動ローラを前記上フレームと共に支持する下フレームであって、前記上フレームと着脱自在に組み合わせ得るように構成した下フレームと、
で構成した集卵ベルト用清掃装置。
【請求項２】
前記上フレーム又は前記下フレームに、前記集卵ベルトの幅方向両側に位置して、該集卵ベルトを所定の位置を通過させるべくガイドする案内棒を配した請求項１の集卵ベルト用清掃装置。
【請求項３】
前記ベルト通過位置規制棒及びテンション調節棒を、それぞれ棒本体とこれに回転自在に外装したパイプ体とで構成した請求項１又は２の集卵ベルト用清掃装置。
【請求項４】
前記案内棒を、棒本体とこれに外装するパイプ体と該棒本体の一端に配したパイプ体抜け止め用の拡大部とで構成した請求項１、２又は３の集卵ベルト用清掃装置。
【考案の詳細な説明】
【技術分野】
【０００１】
本考案は、養鶏場等のケージから排出される鶏卵を受け取って所定の搬送先に搬送する集卵ベルトの集卵搬送面を清掃するための集卵ベルト用清掃装置に関するものである。
【背景技術】
【０００２】
前記集卵ベルトの集卵搬送面は、塵埃や鶏の糞が付着したり、或いは卵が割れてその中身が付着する等により、徐々に汚れが蓄積する傾向にあり、このような集卵ベルトの集卵搬送面の汚れは、ケージから排出されてその上に集められた卵に付着してこれを汚してしまう虞を生じさせる。
【０００３】
汚れた卵は非衛生的であり、汚卵と称せられ、販売価格も低いものとなるため、このような汚卵の発生はできるだけ避けるべきものである。そこで前記集卵ベルトを汚れのない衛生的な状態に保持すべきこととなるが、その使用中にその清掃を行うことは事実上困難であり、多くの養鶏場で１年半に１回又は２年に１回程度の清掃が行われているに過ぎないのが普通である。
【０００４】
そこで集卵ベルトの集卵搬送面を自動的に清掃する清掃装置が要望されるが、現時点では、単に集卵ベルトのリターン側で、その下面側、即ち、集卵搬送面に、その進行方向に直交する板状のブラシ部材を圧接させて配した構成のものがあるに過ぎない。集卵ベルトは通常１日当たり１／２周回の周回動作を行い、そのキャリア側に載った卵を該集卵ベルトから他のコンベア装置等の所定の搬送先に移載するようになっており、前記ブラシ部材は、この移載のための該集卵ベルトの搬送進行動作時に、そのリターン側を進行動作する集卵搬送面（下面）をブラッシングし、その汚れを除去しようとするものである。
【０００５】
このブラシ部材は、特別の動力を必要とせず、簡易な構成で安価に集卵ベルトの清掃を行える点では好ましいものであるが、これを集卵搬送面に圧接しただけでは、実際上、清掃効果は十分ではなく、該集卵搬送面を十分に衛生的に保持することができないのが実情である。
【０００６】
ところで、前記集卵ベルトの集卵搬送面の清掃に特化した装置ではないが、一般的にコンベアベルトの搬送面を清掃する装置として、特許文献１中でコンベアベルトの清掃装置が提案されている。
【０００７】
このコンベアベルトの清掃装置は、コンベアベルトのリターン側下面に接する部位が吸水性の弾性部材を備えた円筒状のクリーニングヘッド及びこれを回転駆動する回転付与機構からなるクリーニング装置と、該クリーニング装置を該コンベアベルトの幅方向に往復動作させる往復移動機構と、コンベアベルトが該クリーニングヘッドの直径分だけ進行する間に該クリーニングヘッドが一往復するように制御する制御手段とで構成されたものである。なお前記吸水性の弾性部材としては、バフやスポンジが想定されている。
【０００８】
この装置は、一般的なベルトコンベアのベルトの清掃装置として、かつそのクリーニングヘッドが予定している汚れに対しては、十分な清掃効果が得られるものと思われるが、バフやスポンジのような弾性部材を回転させつつ摺動させただけでは、集卵ベルトの集卵搬送面の汚れは必ずしも除去されない。その汚れは、前記したようなものであり、特に割れた卵の黄身や白身が付着して固まった汚れや硬く付着した鶏糞等による汚れはその程度では十分に除去されない場合が多い。更にはこのコンベアベルトの清掃装置は、なかなか複雑な構成のものであり、更にクリーニングヘッドの回転付与機構やクリーニング装置の往復移動機構のような動力を必要とする駆動手段を備えたものであり、簡易で安価な構成とは言い難い。
【０００９】
【特許文献１】特開平０５−１１６７３７号公開公報
【考案の開示】
【考案が解決しようとする課題】
【００１０】
本考案は、前記集卵ベルトの集卵搬送面に付着した汚れを、特別の動力を必要とせずに自動的にかつ効率的に除去することのできる集卵ベルト用清掃装置を提供することを解決の課題とする。
【課題を解決するための手段】
【００１１】
本考案の１は、集卵ベルトのリターン側に配置してその集卵搬送面の汚れを除去する集卵ベルト用清掃装置であって、
集卵ベルトの集卵搬送面である下面に当接しつつベルト進行方向に逆らう回転方向で回転するローラ状ブラシと、
該ローラ状ブラシのベルト進行方向の前後側に位置して、該集卵ベルトの下面を該ローラ状ブラシに当接させつつその上を通過させるべく、該集卵ベルトの上面及び下面に当接すべくそれぞれ一つづつ配したベルト通過位置規制棒と、
該二つのベルト通過位置規制棒の内の前記集卵ベルトの下面に当接するそれに隣接し、該集卵ベルトの上面に圧接してその搬送動作に伴って回転する駆動ローラと、
該駆動ローラに前記集卵ベルトの下面に当接するベルト通過位置規制棒の反対側で隣接し、該集卵ベルトを該駆動ローラにその上面で強く接触させるべく規制するテンション調節棒と、
前記駆動ローラの回転軸と前記ローラ状ブラシの回転軸との間に配した回転伝達手段であって、前記集卵ベルトの搬送動作に伴う該駆動ローラの回転軸の回転を該ローラ状ブラシの回転軸に該ローラ状ブラシが該集卵ベルトの進行方向に逆らう回転方向で回転するように伝達されるべく構成した回転伝達手段と、
前記集卵ベルトの上面に当接するベルト通過位置規制棒を固設し、かつ前記駆動ローラを後記下フレームと共に支持する上フレームであって、該下フレームと着脱自在に組み合わせ得るように構成した上フレームと、
前記集卵ベルトの下面に当接するベルト通過位置規制棒及び前記テンション調節棒を固設し、前記ローラ状ブラシを回転自在に支持し、かつ前記駆動ローラを前記上フレームと共に支持する下フレームであって、前記上フレームと着脱自在に組み合わせ得るように構成した下フレームと、
で構成した集卵ベルト用清掃装置である。
【００１２】
本考案の２は、本考案の１の集卵ベルト用清掃装置に於いて、前記上フレーム又は前記下フレームに、前記集卵ベルトの幅方向両側に位置して、該集卵ベルトを所定の位置を通過させるべくガイドする案内棒を配したものである。
【００１３】
本考案の３は、本考案の１又は２の集卵ベルト用清掃装置に於いて、前記ベルト通過位置規制棒及びテンション調節棒を、それぞれ棒本体とこれに回転自在に外装したパイプ体とで構成したものである。
【００１４】
本考案の４は、本考案の１、２又は３の集卵ベルト用清掃装置に於いて、前記案内棒を、棒本体とこれに外装するパイプ体と該棒本体の一端に配したパイプ体抜け止め用の拡大部とで構成したものである。
【考案の効果】
【００１５】
本考案の１の集卵ベルト用清掃装置によれば、既設の集卵ベルトのリターン側に簡単に取り付けることが可能であり、更にそのための特別の動力を必要とせずにローラ状ブラシを回転させて該集卵ベルトの集卵搬送面の汚れを除去することができる。単に進行する集卵ベルトの集卵搬送面にブラシ部材を圧接するだけでなく、ローラ状ブラシを該集卵ベルトの進行方向と逆方向に回転させつつこれに圧接するものであるため、その汚れは効率よく確実に除去されることになるものである。
【００１６】
集卵ベルトへの取り付けは次のように簡単に行うことができる。
該集卵ベルトのリターン側ベルトの上方に駆動ローラを配し、該駆動ローラに対応させてその上方に上フレームを配し、他方、該リターン側ベルトの下方に下フレームを配した上で、該上フレームを下降させ、該下フレームを上昇させて、相互を組み合わせ、相互の組み合わせ状態をネジ止め等によって保持し、更に集卵ベルトを支持する支持部材等にそれらの上下フレームを固定する。
取り外しは、以上と逆の手順でこれも簡単に行うことができる。
【００１７】
本考案の２の集卵ベルト用清掃装置によれば、この装置中を通過する集卵ベルトは確実所定の部位を通過するように案内され、該集卵ベルトが、その幅方向にずれて前記ローラ状ブラシによる汚れ除去作用を十分に受けられなくなるような問題は生じない。
【００１８】
本考案の３の集卵ベルト用清掃装置によれば、これに接しつつ通過する集卵ベルトの通過がよりスムーズに行えることとなる。
【００１９】
本考案の４の集卵ベルト用清掃装置によれば、これに接することのある集卵ベルトの通過がよりスムーズに行えることとなる。
【考案を実施するための最良の形態】
【００２０】
本考案を実施するための最良の形態を実施例に基づいて詳細に説明する。
【実施例】
【００２１】
この実施例の集卵ベルト用清掃装置は、図１〜図４に示すように、集卵ベルトＢの集卵搬送面の汚れを除去するローラ状ブラシ１と、該ローラ状ブラシ１のベルト進行方向の前後に一つずつ配したベルト通過位置規制棒２ａ、２ｂと、その一方のベルト通過位置規制棒２ａに隣接して配する駆動ローラ３と、該駆動ローラ３を挟んで前記ベルト通過位置規制棒２ａの反対側に配するテンション調節棒４と、該駆動ローラ３の回転軸３ａと前記ローラ状ブラシ１の回転軸１ａとの間に配した回転伝達手段５と、他方のベルト通過位置規制棒２ｂの棒本体２ｂ１の両端を固設し、かつ前記駆動ローラ３を後記下フレーム６と共に支持する上フレーム７と、前記一方のベルト通過位置規制棒２ａの棒本体２ａ１及び前記テンション調節棒４の棒本体４ａの各両端を固設し、前記ローラ状ブラシ１を回転自在に支持し、かつ前記駆動ローラ３を前記上フレーム７と共に支持する下フレーム６と、前記上フレーム７に、前記集卵ベルトＢの幅方向両側に位置させるべく垂下した二対の案内棒８、８…を配して構成したものである。
【００２２】
前記集卵ベルトＢは、図示しない養鶏場のケージから排出される鶏卵を受け取って所定の搬送先に搬送するためのベルトコンベア装置であり、この実施例のそれは、無端ベルトである集卵ベルトＢが、１日１回かつ１日当たり１／２周回分周回して、そのキャリア側の集卵搬送面に載った鶏卵を該集卵ベルトＢから他のコンベア装置等の所定の搬送先に移載するようになっているものである。
【００２３】
前記ローラ状ブラシ１は、図５(a)、(b)に示すように、文字通りローラ状のブラシ部１ｂとこれを支持する金属製の回転軸１ａとを主要構成要素として構成したものである。該ブラシ部１ｂは、回転軸１ａのブラシ部用小径部の周囲からその放射方向に突出させて配した多数の硬質弾性プラスチックの針金状部材で構成したものであり、該回転軸１ａの該ブラシ部用小径部の両側は大径部に構成し、更にその各外端側はブシュ外装用小径部に構成し、各々に内側に鍔部を備えたブシュ１ａ１を回転自在に外装したものである。これらのブシュ１ａ１、１ａ１は、後述するように、それぞれ取付片９、９を介して下フレーム６の所定の部位に固定されるものであり、前記回転軸１ａを回転自在に支持するすべり軸受（平軸受）の役割を果たすものである。
【００２４】
これらのブシュ１ａ１に代えて種々の軸受を採用することは当然自由であるが、この集卵ベルト用清掃装置では、１日に１回、前記集卵ベルトＢが半周だけ周回する間にそれに伴って回転するだけなので、前記のように、専用の各種軸受に代えて、ブシュ１ａ１、１ａ１を採用することが可能となっている。
【００２５】
なお以上のブシュ１ａ１、１ａ１を外装したブシュ外装用小径部の一方の外端側には、図５(a)、(b)に示すように、更にスプロケット取付用小径部を更に延長させておくものとする。
【００２６】
前記ベルト通過位置規制棒２ａ、２ｂは、図１(a)、(b)に示すように、それぞれ棒本体２ａ１、２ｂ１とこれらに回転自在に外装したパイプ体２ａ２、２ｂ２とで構成したものである。各棒本体２ａ１、２ｂ１は金属製の丸棒材であり、これに外装したパイプ体２ａ２、２ｂ２は若干の弾力性を備えたプラスチック製筒体で構成したものである。
【００２７】
前記駆動ローラ３は、図１(a)、(b)、図３及び図４に示すように、回転軸３ａとこれに外装固定した二つのローラ３ｂ、３ｂとを主要構成要素として構成したものである。該二つのローラ３ｂ、３ｂは、この実施例では、合成ゴムで構成したそれを採用する。なおこのようなローラ３ｂ、３ｂは前記集卵ベルトＢに圧接状態に配され、該集卵ベルトＢの搬送移動が行われる際に、その移動に伴って回転させられるものである必要があるものである。そのために該ローラ３ｂ、３ｂは該集卵ベルトＢに対して摩擦係数の大きな材料によって構成されるべきであり、そうである限り、材料としては前記合成ゴムに限らない。またこの実施例では、前記回転軸３ａに二つのローラ３ｂ、３ｂを配する構成にしたが、これもこれに限定されず、１又は２或いは３以上のローラ３ｂ、３ｂ…を配することとしても問題はない。
【００２８】
前記回転軸３ａの各外端側はブシュ外装用小径部に構成し、各々に内側に鍔部を備えたブシュ３ｃを回転自在に外装したものである。これらのブシュ３ｃ、３ｃは、後述するように、それぞれ上フレーム７及び下フレーム６で所定の部位に固定されるものであり、前記回転軸３ａを回転自在に支持するすべり軸受（平軸受）の役割を果たすものである。
【００２９】
なお以上のブシュ３ｃ、３ｃを外装したブシュ外装用小径部の一方の外端側には、図１(a)、図２(a)、(b)、図３及び図４に示すように、更にこれをスプロケット取付用小径部として延長させておくものとする。
なお又前記回転軸３ａには、前記二つのローラ３ｂ、３ｂの間及びその両側でプラスチック製の筒体３ｄを外装しておくものとする。
【００３０】
前記テンション調節棒４は、図(a)、(b)に示すように、棒本体４ａ、４ａとこれに回転自在に外装したパイプ体４ｂとで構成したものである。棒本体４ａは金属製の丸棒材であり、これに外装したパイプ体４ｂは若干の弾力性を備えたプラスチック製筒体で構成したものである。基本的に、ベルト通過位置規制棒２ａ、２ｂと同一の構成である。
【００３１】
前記回転伝達手段５は、図１(a)、図１(a)、(b)及び図４に示すように、前記ローラ状ブラシ１側の小径スプロケット５ａと、前記駆動ローラ３側の大径スプロケット５ｂと、これらの間に掛け渡すチェーン５ｃとで構成したものである。この実施例では、大径スプロケット５ｂの歯数を小径スプロケット５ａのそれの二倍に構成し、駆動ローラ３が１回転する間にローラ状ブラシ１が２回転するように構成した。
【００３２】
前記小径スプロケット５ａは、同図に示すように、前記ローラ状ブラシ１の回転軸１ａの一端に構成したスプロケット取付用小径部に外装固設し、前記大径スプロケット５ｂは、同図に示すように、前記駆動ローラ３の回転軸３ａの一端に構成したスプロケット用小径部に外装固設する。
【００３３】
前記チェーン５ｃは、後述するように、この集卵ベルト用清掃装置を集卵ベルトＢに着脱する際には、上フレーム７及び下フレーム６から前記駆動ローラ３が離脱し、前記小径スプロケット５ａと大径スプロケット５ｂ間から容易に取り外し又は取り付け得るようになっている。
【００３４】
以上のように、この実施例では、前記回転伝達手段５として、スプロケット及びチェーンを用いる構成を採用したが、同様の機能を備えた他の種々の手段を自由に採用可能であることは云うまでもない。
【００３５】
前記上フレーム７は、図１〜図４に示すように、平面から見て四辺形の辺に沿った形状の金属製板状枠体であり、その両短辺は各一対の前記案内棒８、８を取り付けるための幅広の取付板７ａ、７ａに構成し、かつその両長辺は、これらに沿って結合板７ｂ、７ｂを直角に垂下させたものである。
【００３６】
両長辺の結合板７ｂ、７ｂは、その両側に下フレーム６との結合用の結合片７ｂ１、７ｂ１を垂下させ、途中には前記駆動ローラ３のブシュ３ｃを支持する支持片７ｂ２を垂下させ、更に他の途中には、前記他方のベルト通過位置規制棒２ｂの棒本体２ｂ１を固定する固定片７ｂ３を垂下させたものである。
【００３７】
前記結合板７ｂ、７ｂの両側の結合片７ｂ１、７ｂ１には各々に縦長の結合長孔１０ａを開口し、途中の支持片７ｂ２には、その中央に、前記駆動ローラ３の回転軸３ａのブシュ外装用小径部に外装したブシュ３ｃを挿入してこれを固定するための係止溝１０ｂを形成し、更に他の途中の固定片７ｂ３には、隣接する結合片７ｂ１に近接して前記ベルト通過位置規制棒２ｂの棒本体２ｂ１の端部を挿入し、かつこれを固定する固定溝１０ｃを形成する。
【００３８】
前記下フレーム６は、図１〜図４に示すように、平面から見て四辺形の辺に沿った形状の金属製板状枠体であり、その両長辺は、これらに沿って結合板６ａ、６ａを直角に立ち上げたものであり、その短辺の寸法は、図２(b)に示すように、該下フレーム６に前記上フレーム７を対面状態に組み合わせた場合に、前者の結合板６ａ、６ａが後者の結合板７ｂ、７ｂの内側で接する状態になる寸法とする。即ち、該下フレーム６の短辺の寸法は、該上フレーム７の短辺の寸法より後者の両結合板７ｂ、７ｂの厚み分だけ短く形成したものである。
【００３９】
両長辺の結合板６ａ、６ａは、図３に示すように、その一側に上フレーム７との結合用の高い結合片６ａ１を、他側に低い結合片６ａ１を、それぞれ立ち上げ、途中には一方のベルト通過位置規制棒２ａの棒本体２ａ１の端部を固定する固定片６ａ２を立ち上げたものである。
【００４０】
前記結合板６ａ、６ａの両側の結合片６ａ１、６ａ１には、図３に示すように、各々該下フレーム６を上フレーム７と対面状態に組み合わせた際に、後者の結合長孔１０ａに対応することとなる位置に雌ねじ１１ａを形成し、該結合片６ａ１の中央上部には前記テンション調節棒４の棒本体４ａの端部を固定する固定溝１１ｂを形成し、前記固定片６ａ２の上部一方よりには前記一方のベルト通過位置規制棒２ａの棒本体２ａ１の端部を固定する固定溝１１ｃを形成し、更に前記結合片６ａ１及び前記固定片６ａ２の間の溝状部分は、その底部を、この下フレーム６を上フレーム７と対面状態に組み合わせた際に、該上フレーム７の支持片７ｂ２の係止溝１０ｂに挿入した前駆駆動ローラ３のブシュ３ｃを下方から係止固定する固定底辺１１ｄを構成するように調整する。
【００４１】
また前記固定片６ａ２と低い結合片６ａ１の間の溝部１１ｅは、前記ローラ状ブラシ１の回転軸１ａ及びその端部付近のブシュ１ａ１を通過させるのに十分な幅に調整し、その両側には前記取付片９固定用の雌ねじ（図示していない）を形成する。
【００４２】
以上の上フレーム７には、以上の結合用の構成要素を用いて他方のベルト通過位置規制棒２ｂを取り付け、下フレーム６には、前記ローラ状ブラシ１、一方のベルト通過位置規制棒２ａ及びテンション調節棒４を固設する。
【００４３】
それぞれの取付位置の位置関係は、図１(a)、(b)及び図２(a)、(b)に示すように、前記テンション調整棒４及び一方のベルト通過位置規制棒２ａは、前記駆動ローラ３のベルト進行方向前後の上方に位置させ、前記集卵ベルトＢに、該テンション調整棒４及び該ベルト通過位置規制棒２ａの上を、該駆動ローラ３の下を、それぞれ通過させ、該集卵ベルトＢを該駆動ローラ３のローラ３ｂ、３ｂに圧接させるようにする。
【００４４】
該一方のベルト通過位置規制棒２ａ及び他方のベルト通過位置規制棒２ｂは、前記ローラ状ブラシ１のベルト進行方向前後の上方に位置させ、該一方のベルト通過位置規制棒２ａ上を通過した集卵ベルトＢに、該ローラ状ブラシ１のブラシ部１ｂの上を通過させ、更に他方のベルト通過位置規制棒２ｂの下を通過させることにより、該集卵ベルトＢを該ローラ状ブラシ１のブラシ部１ｂに適度の圧力で接するようにする。
【００４５】
前記上フレーム７及び下フレーム６の各結合用の構成要素は、以上の位置関係に対応するように構成されており、図３に示すように、該上フレーム７の固定片７ｂ３の固定溝１０ｃには前記他方のベルト通過位置規制棒２ｂの棒本体２ｂ１の端部を溶接固定する。また、同図に示すように、該下フレーム６の結合片６ａ１の固定溝１１ｂには前記テンション調節棒４の棒本体４ａの端部を溶接固定し、固定片６ａ２の固定溝１１ｃには前記一方のベルト通過位置規制棒２ａの棒本体２ａ１の端部を溶接固定する。更に、同図に示すように、該下フレーム６の溝部１１ｅには四辺形板状の取付片９を介して前記ローラ状ブラシ１を取り付ける。
【００４６】
該取付片９、９には、その中央の取付孔に該ローラ状ブラシ１の回転軸１ａの外端側にそれぞれ配したブシュ１ａ１、１ａ１を挿入して固定してあり、該取付片９、９を、前記し、図１(b)、図２(a)及び図３に示すように、前記下フレーム６の両側の結合板６ａ、６ａの溝部１１ｅ、１１ｅに掛け渡した状態に配し、その両側のネジ孔を通じて、溝部１１ｅの両側の雌ねじにボルト９ａ、９ａをねじ込み固定するものである。
【００４７】
前記案内棒８、８…は、図２(b)、図４及び図６に示すように、基本的に最下部に抜け止め用の拡大部８ａを備えた棒本体８ｂと該棒本体８ｂに遊嵌合状態に外装したパイプ体８ｃとで構成し、一対ずつ前記上フレーム７の二つの取付板７ａ、７ａのそれぞれに取り付けたものである。該取付板７ａ、７ａへの取り付けは、特に図２(b)及び図４に示すように、前記集卵ベルトＢを、その通過すべき位置、即ち、上フレーム７及び下フレーム６の幅方向中央付近に案内すべく、その幅を僅かに越える間隔で、かつ中央に位置決めして行う。
【００４８】
また前記棒本体８ｂの上部には雄ねじを形成しておき、図１〜図４に示すように、該雄ねじに下方のナット８ｄを螺合させた上で、前記上フレーム７の取付板７ａ、７ａの各結合孔に下方から挿入し、上方からワッシャ８ｅを外装した上でナット８ｆを螺合し、上下のナット８ｄ、８ｆを締め付けて取付固定するものである。
【００４９】
従ってこの実施例の集卵ベルト用清掃装置によれば、新設集卵ベルトＢは勿論、既設の集卵ベルトＢにも簡単に取り付けることが可能である。集卵ベルトＢへの取り付けはそのリターン側に行う。更に、この集卵ベルト用清掃装置ではその駆動のために特別の動力を必要とせずに、前記ローラ状ブラシ１のブラシ部１ｂを回転させて該集卵ベルトＢの集卵搬送面の汚れを良好に除去することができる。またこのとき、単に進行する集卵ベルトＢの集卵搬送面にブラシ部１ｂを圧接するだけでなく、これを該集卵ベルトＢの進行方向と逆方向に回転させつつ圧接させるため、その汚れは効率よく確実に除去されることになるものである。
【００５０】
集卵ベルトＢへの取り付けは次のように簡単に行うことができる。
図７(a)に示すように、まず前記集卵ベルトＢのリターン側の上方に上フレーム７を配置し、これに対応する下方に下フレーム６を配置する。このとき、図３及び図４に示すように、上フレーム７には、予め二対の案内棒８、８…及びベルト通過位置規制棒２ｂを取り付けておき、下フレーム６には、ローラ状ブラシ１、ベルト通過位置規制棒２ａ及びテンション調節棒４を取り付けておく。またこのとき上フレーム７と集卵ベルトＢの間で、上フレーム７の支持片７ｂ２の係止溝１０ｂ及び下フレーム６の固定底辺１１ｄに対応する付近に駆動ローラ３を装入するものとする。
【００５１】
上記状態から上フレーム７と下フレーム６とを、該駆動ローラ３の回転軸３ａの各外端付近に配したブシュ３ｃ、３ｃをそれぞれ前記係止溝１０ｂ、１０ｂに挿入し、かつ前記固定底辺１１ｄに載せながら、図１(a)、(b)及び図２(a)、(b)に示すように、相互に対面状態に組み合わせる。このとき、前記チェーン５ｃを前記ローラ状ブラシ１側の小径スプロケット５ａと前記駆動ローラ３側の大径スプロケット５ｂとの間に掛け渡す。
【００５２】
なお、このとき、同図に示すように、集卵ベルトＢは、幅方向には前記各一対の案内棒８、８の間に挿入状態となり、上下方向には、前記したように、図６中左からテンション調節棒４のパイプ体４ｂに接してその上を、駆動ローラ３の二つのローラ３ｂ、３ｂに接してその下を、ベルト通過位置規制棒２ａのパイプ体２ａ２に接してその上を、ローラ状ブラシ１のブラシ部１ｂに接してその上を、更に他方のベルト通過位置規制棒２ｂのパイプ体２ｂ２に接してその下を、それぞれ通過する状態となる。
【００５３】
この後、対面状態に組み合わせた上フレーム７と下フレーム６とを、上フレーム７の二対の結合片７ｂ１の各結合長孔１０ａから対応する下フレーム６の各結合片６ａ１の雌ねじ１１ａに雄ねじ１２をねじ込んで固定する。更に上フレーム７及び下フレーム６を適当な手段で集卵ベルトＢを支持する枠体等に固定する。これは、枠体等の構造に応じて行う。例えば、適当な支持片を用意し、これを集卵ベルトＢの枠体と上フレーム７又は下フレーム６若しくはその双方との間に掛け渡し、それぞれボルト等によって固定することによって集卵ベルト用清掃装置を該枠体等に固定する。こうして、図７(b)に示すように、集卵ベルト用清掃装置は集卵ベルトＢのリターン側の所定の位置に極めて容易に取り付けることができる。
【００５４】
集卵ベルトＢが、その上に降下した鶏卵を所定の位置まで移送するために、例えば、図６中、矢印Ａ１に示すように、搬送動作を行うと、該集卵ベルトＢに圧接状態となっている駆動ローラ３のローラ３ｂ、３ｂはこれに伴って、同図中、矢印Ａ２に示す回転方向に回転させられ、これが、前記回転伝達手段５の大径スプロケット５ｂ、チェーン５ｃ及び小径スプロケット５ａを介して前記ローラ状ブラシ１に伝達され、そのブラシ部１ｂを、同図中、矢印Ａ３に示すように、該集卵ベルトＢの進行方向に逆らう回転方向に回転させることとなる。こうして集卵ベルトＢの集卵搬送面は良好にその汚れの除去作用が行われることになる。
【００５５】
集卵ベルトＢは、１日１回、半周ずつ周回動作させるのが普通であるため、この集卵ベルト用清掃装置による清掃動作は、これに対応して適切に行われることとなる。卵が何らかの事情で割れて集卵ベルトＢに付着することがあるが、１日１回の動作時には、これが乾いて硬化している場合が多いため、このような卵による汚れはその動作時に掻き落とされることになる。そのときに該卵による汚れが硬化していなかった場合でも、次回までには硬化するので結局は良好に掻き落とされることになる。
【００５６】
また前記二対の案内棒８、８…で集卵ベルトＢの幅方向の動きも規制されるので、該集卵ベルトＢは確実にローラ状ブラシ１のブラシ部１ｂ上を移動することとなり、確実に清掃作用を受けることとなる。
【００５７】
前記ローラ状ブラシ１のブラシ部１ｂの摩耗により、その交換が必要になった場合等には、この集卵ベルト用清掃装置を取付部位から簡単に取り外して必要なメンテナンスを行うことができる。この取り外しは、前記した取付手順と逆の手順であり、これも極めて簡単に行うことができる。
【図面の簡単な説明】
【００５８】
【図１】(a)は実施例の集卵ベルト用清掃装置の平面図、(b)は実施例の集卵ベルト用清掃装置の正面図。
【図２】(a)は実施例の集卵ベルト用清掃装置の背面図、(b)は実施例の集卵ベルト用清掃装置の右側面図。
【図３】実施例の集卵ベルト用清掃装置の分解状態の正面図。
【図４】実施例の集卵ベルト用清掃装置の分解状態の右側面図。
【図５】実施例の集卵ベルト用清掃装置のローラ状ブラシの正面図、実施例の集卵ベルト用清掃装置のローラ状ブラシの拡大右側面図
【図６】集卵ベルトに取り付けた実施例の集卵ベルト用清掃装置から上フレーム及び下フレームを取り除いた状態の正面説明図。
【図７】実施例の集卵ベルト用清掃装置を、その上フレームと下フレームとを集卵ベルトの上下に配して取り付けようとしている状態を示す概略説明図、実施例の集卵ベルト用清掃装置を集卵ベルトに取り付けた状態の概略説明図。
【符号の説明】
【００５９】
１    ローラ状ブラシ
１ａ  ローラ状ブラシの回転軸
１ａ１  ローラ状ブラシの回転軸の両端付近に外装したブシュ
１ｂ  ブラシ部
２ａ  一方のベルト通過位置規制棒
２ａ１  一方のベルト通過位置規制棒の棒本体
２ａ２  一方のベルト通過位置規制棒の棒本体に外装したパイプ体
２ｂ  他方のベルト通過位置規制棒
２ｂ１  他方のベルト通過位置規制棒の棒本体
２ｂ２  他方のベルト通過位置規制棒の棒本体に外装したパイプ体
３    駆動ローラ
３ａ  駆動ローラの回転軸
３ｂ  ローラ
３ｃ  駆動ローラの回転軸の外端付近に配したブシュ
３ｄ  筒体
４    テンション調節棒
４ａ  テンション調節棒の棒本体
４ｂ  テンション調節棒の棒本体に外装したパイプ体
５    回転伝達手段
５ａ  小径スプロケット
５ｂ  大径スプロケット
５ｃ  チェーン
６    下フレーム
６ａ  下フレームの結合板
６ａ１  下フレームの結合板の結合片
６ａ２  下フレームの結合板の固定片
７    上フレーム
７ａ  取付板
７ｂ  上フレームの結合板
７ｂ１  上フレームの結合板の結合片
７ｂ２  上フレームの結合板の支持片
７ｂ３  上フレームの結合板の固定片
８    案内棒
８ａ  拡大部
８ｂ  案内棒の棒本体
８ｃ  案内棒のパイプ体
８ｄ  下方のナット
８ｅ  ワッシャ
８ｆ  ナット
９    取付片
９ａ  ボルト
１０ａ  結合長孔
１０ｂ  上フレームの結合板の支持片に形成した係止溝
１０ｃ  上フレームの結合板の固定片に形成した固定溝
１１ａ  下フレームの結合板の結合片に形成した雌ねじ
１１ｂ  下フレームの結合板の結合片に形成した固定溝
１１ｃ  下フレームの結合板の固定片に形成した固定溝
１１ｄ  固定底辺
１１ｅ  溝部
１２  雄ねじ
Ａ１、Ａ２、Ａ３  矢印
Ｂ    集卵ベルト
【図１】
0003109000.tif 000003
【図２】
0003109000.tif 000004
【図３】
0003109000.tif 000005
【図４】
0003109000.tif 000006
【図５】
0003109000.tif 000007
【図６】
0003109000.tif 000008
【図７】
0003109000.tif 000009